(57)【要約】【課題】現在、合コンをしたいと思っても、その方法は限られている。そのため、人によっては合コンを開いたり、合コンに参加したりすること自体が困難である。また、それらの限られた合コンをする方法についても、利用者にとって不便や不安や不満を感じる点が多いのが現状である。【解決手段】本発明は、合コンをしたいと思う人にとって、より利用し易く、より楽しく利用できるシステム装置を提供する。そのために、合コンをしたいと思っている人が、利用者が不特定多数の男女に対して合コンの開催を告知し、参加を呼びかけることのできるシステム装置を開発する。そのシステム装置には、競りの機能や固有の名称を譲渡できる機能等を備える。そうすることで、利用者にとって、より利用し易く、より楽しく利用できるシステム装置となる。【選択図】図１
2008146439.tif 000002
【特許請求の範囲】
【請求項１】
ある人が合コンしたいと思ったとき、その人がコネクションや仲間の伝手などを持たない、たった一人きりの個人であっても、ネットワークを介して不特定多数の相手にむかって合コンの開催を告知して参加を呼びかけることが出来るし、また、そのようにして他の誰かが参加を呼びかけている合コンの開催の告知に対して、参加を表明することが出来ることを特徴とするシステム装置。ちなみに本発明では、合コンとは、本来の「合同コミュニケーションパーティー」の意味を含みつつ、現在一般的に使われている「男女数人が親睦を深めるために一緒に何かを楽しむこと」を意味する言葉として使う。つまり、初対面の男女数人で遊園地へ行くのも合コンである。また今後、本発明の中で「合コン」というときは、注意書きが無い限りは、必ずこの意味で使うこととする。
【請求項２】
合コンの参加人数に制限がある場合に、その合コンに参加できる人を選ぶ方法として、参加希望者同士に競り合わせるという手段をとることが出来ることを特徴とする、上記請求項１記載の特徴を備えるシステム装置。
【請求項３】
本システムの利用者同士が、実際に合コンをした後に、その相手に対して評価をつけることが出来て、その評価を別の利用者が閲覧することが出来ることを特徴とする、上記請求項１〜２のいずれか一項ないし複数項記載の特徴を備えるシステム装置。
【請求項４】
ある利用者がシステム内で使用している固有のニックネームを、安全かつスムーズに他の利用者に譲渡することが出来ることを特徴とする、上記請求項１〜３のいずれか一項ないし複数項記載の特徴を備えるシステム装置。
【請求項５】
ある任意の条件、たとえば「寝台列車フリーク」（寝台列車に乗るのが好きな人、の意）や「チワワマニア」（犬のチワワが好きな人、の意）などによって参加者を限定している合コンが、いかに多数存在しようとも、利用者がそれらの合コンのリストを閲覧するとき、それぞれの合コンが提示する任意の条件を分類ごとにまとめていってその分類名から表示する方法ではなく、最初から任意の条件を並列に表示することを特徴とする、上記請求項１〜４のいずれか一項ないし複数項記載の特徴を備えるシステム装置。
【発明の詳細な説明】
【技術分野】
【０００１】
本発明は、合コンをしたいと思っている人にとって、より安全な、あるいは、より利用し易い、あるいは、よりエキセントリックな合コン開催のシステム装置に関する。
【背景技術】
【０００２】
かつて、誰かが合コンをしたいと思ったときにとれる手段は、交流のある誰かの仲介によって見知らぬ相手と出会う、という方法しかなかった。いわゆる、友人の伝手で合コンを開く、といった事に代表されるものである。
【０００３】
近年になって、インターネットを介することで見知らぬ相手と顔を合わせないままに交流する手段が生まれ、これを利用して合コンするという方法が生まれた。いわゆる、出会い系サイトとか、趣味のサークルやＳＮＳ（ソーシャル・ネットワーキング・サービス）などで行われるオフ会に代表されるものである。ちなみに、オフ会というのは、インターネット上で知り合った者同士が、実際に集まって顔を合わせる会のことである。
【０００４】
また、企業やサークル等が主催する、何らかの目的を持った見知らぬ男女が集まって交流するという形の合コンが生まれた。いわゆる、お見合いパーティーなどに代表されるものである。
【発明の開示】
【発明が解決しようとする課題】
【０００５】
しかし、これらの既存の手段には問題もあった。まず、誰かの仲介に頼る場合、自分の日常の交際範囲にいる誰か、つまり、親戚やプライベートな友人や職場の同僚や学校の仲間といった知人を辿ることになるので、人脈は狭い範囲に限定されてしまう。また、このような場合、知人と一緒に合コンに参加することになることが多く、いつも似たようなメンバーで合コンに参加することになり易く、新鮮味が無くなってしまうことがある。さらに、一緒に参加する知人が自分の素顔やプライバシーをある程度知っているため、その知人の前であまり不用意な発言が出来ないという不自由さがある。たとえば、合コンを盛り上げるために少々のハメは外したいと思っても、つい知人の目があることを意識してしまう。なぜなら後日になって、自分の交際範囲の人々に、自分が合コンに参加していたということや、合コンに参加していたときの自分の言動や様子が伝わってしまうからである。やはり、日常の交際範囲に、合コンという非日常での席での出来事が伝わることに羞恥や嫌悪、プレッシャーを感じてしまう人は多い。そのため、せっかく合コンに参加しても、つい大人しくなってしまい、結局は盛り上がりに欠けてしまうというような場合である。さらに、合コンの仲介をしてくれるような知人がいない人にとっては、そもそも合コンの機会を得ることすら困難を極めてしまう。
【０００６】
また、インターネットを介することで見知らぬ相手と顔を合わせないままに交流するところから始めて合コンをしようとする場合にも問題がある。たとえば、出会い系サイトを利用して合コンをしようとする場合、見知らぬ異性と二人きりで会う、という形式になってしまう。これは、特に女性にとっては、不安や危険が大きく、利用者は安心して合コンに参加することが難しい。また、特に男性にとっては、サクラの甘い言葉に騙されて、課金サイトへ誘導されてしまう等の危険がある。ちなみに、サクラというのは、悪質な業者などがインターネット上で顔が見えないのを良いことに、普通の利用者を装って、本来の目的とはかけ離れた悪質な目的で参加している利用者のことである。合コンをしたい人にとって、出会い系サイトのような場所は、安心して利用することが出来ないのである。
【０００７】
また、たとえばインターネット上にある趣味のサークルのオフ会を利用して合コンしようとする場合、まずはインターネット上に存在するサークルに参加することから始めなくてはならないが、そういったサークルはインターネット上に多数存在するため、自分の好みに合うサークルを見つけるのは非常に大変な作業となる。参加者を募っているサークルが多数集まり、募集告知を出しているようなサイトもインターネット上には存在するが、多くの場合、そういったサイトではサークルの主旨を適当な分類にまとめていって、最初はその分類名を表示する方法をとっている。たとえば「最新ロードショー鑑賞クラブ」と「ニコラス・ケイジ・ファンクラブ」という二つのサークルがある場合、同じ「映画」という分類にまとめられる、といった具合である。さらに、その分類を階層的に深める場合も多い。たとえば「映画」の下の階層に「洋画」や「邦画」や「時代劇」などの分類を作り、さらに「洋画」の下の階層に「ハリウッド映画」や「韓流映画」や「フランス映画」などの分類を作る、といった具合である。実際の例として図２〜５を参照してもらいたい。これはサークルの主旨によって階層的に分類されているサイトの画面の例である。利用者が、最初の画面で映画、次の画面で洋画、その次の画面でハリウッド映画、と選択していった場合に、図２〜５のような画面が表示されるのである。このように、分類し、階層化すると、利用者は多くの画面をまたいで検索することになる。相当にそのシステム装置を使い慣れて、どの階層にどのような分類が存在するのかをよく知っているような利用者ならともかく、ごく一般的な利用者にとっては、便利さよりも、煩雑さによる疲労感を感じることがある。また、分類することによって、かえって利用者の混乱を招くこともある。たとえば寝台列車の旅が好きなので、同じ趣味の人のいるサークルを探そう、というように最初から自分の参加したいサークルの傾向が決まっている場合でも、最初に選ぶべき分類が何なのか考えなくてはならない。仮に「旅行」と「鉄道」という二つの分類名が並んでいたとき、どちらを選べばいいか迷うだろう。一方、まだ自分がどんな傾向のサークルに入ろうか決めていない場合、分類名からは自分が実際にどんなものを求めているのかが想起しづらく、結局、見つからないということになりがちである。このように、分類し、階層的に表示する方法は、利用者にとってストレスの原因ともなる。また、幸運にも自分の望むような趣味のサークルを発見したとしても、そのサークルが今現在も新しいメンバーを募集しているとは限らないし、また、そのサークルの方針としてオフ会はしない、という決まりごとがある可能性もある。オフ会を利用して合コンをしようと思っても、不便が多く、手間も膨大になってしまうのである。
【０００８】
また、インターネットを介した既存のシステムを利用するには、そのシステム内で固有のＩＤやニックネームなどを取得し、名乗ることになる。しかし、既存のシステムでは、そのＩＤやニックネームは先に取得した人に使用する権利があり、後からそのＩＤやニックネームを思いついた人がいても、既に使用されている場合は、諦めるしかない。たとえば、太郎という人が「ウルトラタロウ」というニックネームを考えたとき、先にそのニックネームを使っている人がいた場合、太郎さんにとってそのニックネームがどれほど素晴らしいと思えるものでも、諦めるしかないのである。もしかすると先に「ウルトラタロウ」というニックネームを使っている人は、特にそのニックネームに思い入れが無く、もし可能であれば、そのニックネームを太郎さんに譲っても構わないと考えるかもしれないのに、である。
【０００９】
また、企業やサークル等が主催する、何らかの目的を持った見知らぬ男女が集まって交流するという形の合コンにも問題がある。たとえば、企業主催のお見合いパーティーを利用して合コンをしようとする場合、その合コンが開かれる日時や場所、あるいはどういった男女が集まるのかといった傾向や参加人数まで、主催者の告知に従うしかない。もし、それが自分の生活リズムとはかけ離れた日時や、自分の生活の拠点とはかけ離れた場所だったら、参加したくても参加することが出来ない。また、たとえ参加可能な条件だからと参加に応募しても、定員に間に合わなければ締め切られてしまい、次の開催をじっと待つことしか出来ない。また、飲食費等の実費とは別に、高い参加料を払わなくてはならない場合もある。また、その合コンを「お見合いパーティー」と銘打っているような場合、お見合い、という言葉の意味合いを重く感じてしまい、参加を躊躇ってしまうことがある。このように、合コンの内容や運営形式について、利用者は常に受身となるしかなく、不自由が多い。よって現実的には、自分の求める内容の合コンを探すのは困難なのである。
【００１０】
そこで、本発明の目的は、これらのような従来のやり方につきまとう、利用者にとって不便であったり不安であったりする問題を解決するとともに、これまでに無かった新しい楽しみや満足を与えることである。
【課題を解決するための手段】
【００１１】
そこで上記の目的を達成するために、請求項１にある通り、合コンしたいと思った人が、コネクションや仲間の伝手などを持たない、たった一人きりの個人であっても、ネットワークを介して不特定多数の相手にむかって合コンの開催を告知して参加を呼びかけることが出来るし、また、そのようにして他の誰かが参加を呼びかけている合コンの開催の告知に対して、参加を表明することが出来ることを特徴とするシステム装置を開発し、提供する。
【００１２】
また、請求項２にある通り、合コンの参加人数に制限がある場合に、その合コンに参加できる人を選ぶ方法として、参加希望者同士に競り合わせるという手段をとることが出来ることを特徴とする、上記段落００１１記載の特徴を備えるシステム装置を開発し、提供する。
【００１３】
また、請求項３にある通り、本システムの利用者同士が、実際に合コンをした後に、その相手に対して評価をつけることが出来て、その評価を別の利用者が閲覧することが出来ることを特徴とする、上記段落００１１〜００１２のいずれか一段落ないし複数段落記載の特徴を備えるシステム装置を開発し、提供する。
【００１４】
また、請求項４にある通り、ある利用者がシステム内で使用している固有のニックネームを、安全かつスムーズに他の利用者に譲渡することが出来ることを特徴とする、上記段落００１１〜００１３のいずれか一段落ないし複数段落記載の特徴を備えるシステム装置を開発し、提供する。
【００１５】
また、請求項５にある通り、ある任意の条件、たとえば「寝台列車フリーク」（寝台列車に乗るのが好きな人、の意）や「チワワマニア」（犬のチワワが好きな人、の意）などによって参加者を限定している合コンが、いかに多数存在しようとも、利用者がそれらの合コンのリストを閲覧するとき、それぞれの合コンが提示する任意の条件を分類ごとにまとめていってその分類名から表示する方法ではなく、最初から任意の条件を並列に表示することを特徴とする、上記段落００１１〜００１４のいずれか一段落ないし複数段落記載の特徴を備えるシステムを提供する。
【発明の効果】
【００１６】
本発明の効果として、請求項１のように、合コンしたいと思った人が、ネットワーク、たとえばインターネットを介して不特定多数の相手にむかって合コンの開催を告知して参加を呼びかけるシステム装置を使えば、知人の仲介に頼る場合に起こるような、交際範囲の狭さを打破することが極めて容易である。また、たった一人きりの個人で呼びかけることが出来るため、知人を誘う必要が無くなるので、まったくの初対面同士で合コンをすることが出来るため、多少のハメを外して楽しむこともやり易くなるし、その席での出来事が日常の交際範囲に伝わることを心配する必要もなくなる。また、合コンの仲介をしてくれるようなコネクションや仲間の伝手などを持たない人にとっても、たった一人きりの個人で呼びかけることが出来るこのシステム装置は、極めて身近に合コンの開催や参加の手段が生まれることになるのである。また、合コンをすることが前提であるため、たとえばオフ会の開催に期待して趣味のサークルに参加したものの、そのサークルにはオフ会を開かないルールがあった、というようなケースに遭遇することも無くなる。
【００１７】
また、請求項１のシステム装置を使うと、複数の利用者が合コン開催告知を出し、多くの男女に対して参加を呼びかける形式となるため、さまざまなタイプの合コン開催告知の中から、好きな合コンを選択することが出来る。そうすることで、たとえば男女四人ずつの計八人で開かれるような、多人数で開かれる合コンへの呼びかけだけを選んで参加することが出来るので、いわゆる出会い系サイトのようなものを使って、初対面で最初から二人きりで会おうとする場合に比べ、女性は格段に安心して参加できるようになる。そして男性にとっては、最初から合コンで会うことを前提とした呼びかけとなるため、女性のフリをしたサクラに騙される危険が格段に減ることになり、やはり安心して利用できるようになるのである。
【００１８】
また、請求項１のシステム装置を使うと、たとえば企業主催のお見合いパーティーにつきまとう不自由さ、たとえば合コンの開催日時や開催場所が自分の都合に合わないとか、集まる男女の傾向が自分の希望にそぐわないとか、参加人数が自分の希望よりも少なすぎたり多すぎたりするような不満を解消することが出来る。なぜなら、もし自分にとって都合の合わない合コン開催告知しか無いのであれば、自分自身が主催する、自分の都合に合った合コンの開催告知を出せば良いからである。そうすることで、他人の決めた合コンの傾向や方式に無理に合わせる不自由さを感じることなく、また、他人が合コン開催告知を出すまでじっと待つしかないという不便さも無くなる。また、合コンに対してどのようなタイトルを銘打っても構わないので、「お見合い」や「結婚」といったキーワードを盛り込むことも、まったく盛り込まずにおくことも自由に選択できるため、利用者にとって、より参加しやすい合コンを探すことが容易になっていく。
【００１９】
また、請求項２のシステム装置を使うと、合コンに参加できる人を選ぶ方法として、参加希望者同士に競り合わせることが出来る。たとえば「この合コンの実費の負担額」によって競る、という方式にすれば、その合コンでの飲食費をより多く負担する気のある人が上の順位になるため、自ずと参加意欲の強い参加者を絞ることが可能になる。また、このように合コンの参加権利を獲得するために競りに参加する、ということが一種のゲーム性を持つことになり、合コンに参加しようとすること自体にも、これまでに無かったような楽しみを与えることが期待できる。また、一般的なお見合いパーティーのように、先着順で締め切られるものと違い、最後まで誰もが参加権利を獲得する可能性が残されることになり、多くの人に合コン参加のチャンスを与えることが出来る。また、一般的なお見合いパーティーは、実費以外に高額の参加費を請求されたりするが、たとえばさっきのように「この合コンの実費の負担額」によって競るのであれば、実費以上に費用を出したくないのであれば、競りを降りれば良いのである。さらに、人気が集中して競りの額が上がっていく合コンは避け、ほどほどの額で競れる合コンを選ぶことで、合コンにかかる費用を抑えることも出来るようになる。
【００２０】
また、請求項３のシステム装置を使うと、利用者同士が、実際に合コンをした後に、その相手に対して評価をつけることが出来て、しかもその評価を別の利用者が閲覧することが出来るため、利用者はまったく見知らぬ相手であるにも関わらず、出会う前から、その人物と会うことが自分にとって有益になりそうかどうか、あるいは、その人物と直接会うことで危険なことが起こりそうかどうか、等の予測を立てるための材料を得ることが出来る。また、このような評価をつけられることを知っている利用者は、悪い評価をつけられることのないよう、合コンでのマナー等に注意するようになることが期待でき、結果として、より安全で楽しい合コンを実現する可能性が高まる。これにより、出会い系サイトなどを利用した合コンで、女性が特に感じるような安全性への不安を、より確実に解消することが出来る。また、出会い系サイトなどを利用した合コンで、男性が特に感じるような詐欺等への不安を、より確実に解消することが出来る。
【００２１】
また、請求項４のシステム装置を使うと、ある利用者がシステム内で使用している固有の名称、たとえば「ウルトラタロウ」を、別の利用者がどうしても自分の名称として使いたいと思ったとき、そのことを現在「ウルトラタロウ」の名称を使用している利用者が同意すれば、安全かつスムーズに譲渡することが出来る。利用者にとって、自分を表す固有の名称を自由に選択できるというのは大事なことである。しかし、名称が重複してはならない場合、他の利用者がすでに使っている名称はもう使用できない。しかし、名称に対する思い入れや執着の大小は、人それぞれである。たとえば、ある利用者の本名が太郎であり、特撮ヒーロー番組が大好きであるため、どうしても自分のニックネームに「ウルトラタロウ」を使いたい、と願っているとしても、別の利用者にとっては「ウルトラタロウ」でも「ウルトラジロウ」でも大した差があるとは感じないかもしれない。そういう場合に、自分よりも強くその名称に執着している人がいるのだとわかれば、譲渡しようという気になることは充分に考えられ、そうして名称の譲渡が実行された場合、譲渡された利用者は深い喜びと満足を感じるし、譲渡した側も特に不快な思いをすることはない。そしてこうすることで、これまでになかったような満足を利用者が感じることが期待できる。
【００２２】
また、請求項５のシステム装置を使うと、自分の好みに合う合コンを探すときに、それぞれの合コンが提示する任意の条件が並列に表示されている中から探すことが出来る。そうすることで、多くの画面をまたいで探すストレスを軽減することができる。また、並列に表記されている条件を閲覧しているうちに、思いがけず興味の湧くような項目を発見することがあるかもしれない。自分でも気が付いていなかった、新しい趣味を持つ契機となることも期待できるため、結果的に、無理なく広い範囲で合コンを探すことが出来るのである。
【００２３】
これらの特徴を一つ以上備えたシステム装置は、利用者にとって利用し易く、あるいは、利用したくなる楽しみのあるシステム装置となるのである。
【発明を実施するための最良の形態】
【００２４】
以下に、本発明の実施例を説明する。この実施例は、請求項１〜５の全ての特徴を備えているものとする。
【実施例】
【００２５】
本発明の実施例の概要は図１のようになる。インターネット上にサーバ０１を設置し、そこに本システム装置に必要な機能を実行するためのプログラムとデータベースを備える。利用者は各自の端末、たとえばパソコンなどをインターネットに接続して、サーバ０１にアクセスすることで、本発明を利用できる。その際、全ての利用者は固有の名称を自由に名乗ることが出来る。ただし、他の人と重複する名称は使うことが出来ない。
【００２６】
利用者は自分の端末からサーバ０１に、自分の好きな条件による合コンの開催告知を登録する。たとえば、自分にとって都合の良い日時に、自分のお気に入りの店での食事会を、「サッカーの話をしながら食事しませんか？」という条件と、男女八人で、という人数制限を設定して登録する、という具合である。登録された合コンの開催告知は、他の利用者が端末を利用して閲覧することが出来る。そのとき、複数の合コンの開催告知がサーバ０１に登録されているなら、それらは図６のように並列に表記される。
【００２７】
サーバ０１に登録された合コンの開催告知を見た利用者は、自分の参加したいと思う合コンに参加希望を出す。その際、たとえば参加定員が八人という合コンに対して、主催者以外に十人の参加希望者が集まった場合、参加の権利を競り合って七人に絞らなくてはならない。もし、その競りの形式が「提示した参加費用の高額順」であるなら、参加希望者は自分の端末からサーバ０１に対して自分の参加費用を送信し、サーバ０１では送信されてきた各参加希望者の参加費用に順位をつける処理を行うことになる。その結果、より高額の参加費用を提示した順で上位七人がその合コンに参加することが出来、下位の三人は参加できないことになる。もちろん、競りに落ちた下位の三人は、サーバ０１に登録されている別の合コンを探して、参加希望を出すことが出来る。
【００２８】
合コンが実際に開催された後、利用者は他の利用者について評価をつける。その評価は、サーバ０１に登録され、他の利用者が閲覧することが出来る。たとえば、ある合コンの参加希望者が、「良い人」や「楽しい人」という評価をされている利用者ばかりだった場合、他の利用者は安心してその合コンへの参加希望を出すことができる。逆に、ある合コンの参加希望者が、「騒がしい人」や「怖い人」という評価をされている利用者ばかりだった場合、他の利用者はその合コンへの参加希望を出すかどうか熟慮するだろう。また、既に参加希望を出している合コンに、極めて評価の悪い人が参加希望を出してきた場合、その合コンには参加しない、という判断をすることも出来るようになる。
【００２９】
また、ある利用者０１が使用している固有の名称見て、別の利用者０２が、どうしてもその固有の名称を自分が使用したいと思ったとき、利用者０２は自分の端末からサーバ０１へ、利用者０１に対する名称の譲渡依頼を登録することが出来る。その譲渡依頼はサーバ０１から利用者０１の端末へ送信される。利用者０１がその譲渡依頼への返答をサーバ０１へ送信すると、その返答はサーバ０１をから利用者０２の端末へ送信される。これらの送信には、利用者のプライバシー情報は含まれないため、安全に利用することが出来る。また、お互いに相手からの送信はサーバ０１から送られてくることになるので、相手が本システムの正式な利用者であることは自明となり、証明する手間を省くことが出来る。さらに、証明利用者０１と利用者０２の間で、名称の譲渡の合意に必要な条件が提示されるような場合もサーバ０１を中継することで、安全に行うことが出来る。そしてもし、利用者０１と利用者０２の間で名称の譲渡が決定されれば、本システム装置はそれまで利用者０１が使っていた固有の名称を、以後、利用者０２の固有の名称とするようにサーバ０１のデータを書き換える。その後、利用者０１は、新たな固有の名称を他の利用者とは重複しない範囲で自由に決めることが出来る。
【図面の簡単な説明】
【００３０】
【図１】本発明の一実施例を示す図である。利用者は大勢いて、各自が端末をインターネットに接続している。サーバ０１は本発明の機能を実現するためのプログラムとデータベースを備えていて、インターネットに接続している。
【図２】請求項５にある、任意の条件を分類ごとにまとめていってその分類名から表示する方法をとった場合に表示される画面の例である。ここでは、任意の条件として趣味のジャンルによって適当に分類している例を書いた。
【図３】図２の画面で、映画を選択した後に表示される画面の例である。分類は階層的に行われることが多く、大きな分類を選択すると、次はそれよりも小さな分類が画面に表示される。
【図４】図３の画面で、洋画を選択した後に表示される画面の例である。
【図５】図４の画面で、ハリウッド映画（２１世紀）を選択した後に表示される画面の例である。
【図６】請求項５にある、任意の条件を並列に表示した場合の画面の例である。
【図１】
2008146439.tif 000003
【図２】
2008146439.tif 000004
【図３】
2008146439.tif 000005
【図４】
2008146439.tif 000006
【図５】
2008146439.tif 000007
【図６】
2008146439.tif 000008